(57)【要約】  【課題】支管の長さが異なる２種類のロール製品を収容することができるロール製品用コンテナを提供する。  【解決手段】本発明のロール製品用コンテナにおいては、支管３を支持する支管受け部に、回転移動する支管調整板４０を設け、これを移動させることにより支管ストッパーの間隔を調整して長さの異なる支管３に対応する。長さの長い支管３ａを支持する時は、支管調整板４０を支持部材３１に沿って水平方向に寝かせた姿勢にし、この上に支管３ａを載置する。支管３ａを配置する長さは、本来の支管ストッパー３３の内寸のまま維持される。長さの短い支管３ｂを支持する時は、支管調整板４０を支管ストッパー３３に沿って鉛直方向に立てた姿勢とする。支管調整板４０が実質的に支管ストッパーとして機能し、支管３ｂを配置する長さは支管調整板４０の幅Ｗの２倍（支管３の両端で調整をするため）だけ短くなる。  【選択図】  図３
2006273415.tif 000002
【特許請求の範囲】
【請求項１】
パレットと、前記パレット上に相互に向き合って配置され、水平方向に位置するロール製品の両端部から各々突出している支管を各々支持する一対の支管受け部とを有するロール製品用コンテナであって、
前記一対の支管受け部の各々は、
第１の長さの第１支管の端部の軸方向移動を制限する第１支管ストッパー部材と、
回動自在に設けられた部材であって、前記第１支管ストッパー部材の近傍の所定の第１位置に回動された時に、前記第１の長さより短い第２の長さの第２支管の端部の位置の軸方向移動を制限する第２支管ストッパー部材と
を有し、
前記第２支管ストッパー部材の回動位置に応じて、前記第１支管又は前記第２支管のいずれかを選択的に支持するロール製品用コンテナ。
【請求項２】
前記第１支管を支持する際には、前記第２支管ストッパー部材は、前記第１支管が当該第２支管ストッパー部材の上部に載置されるように所定の第２の位置に回動され、前記第１支管は、前記第１支管ストッパー部材により端部の軸方向移動が制限されることを特徴とする請求項１に記載のロール製品用コンテナ。
【請求項３】
転写フィルムを含む任意のロール製品を輸送するために用いられる請求項１又は２に記載のロール製品用コンテナ。
【発明の詳細な説明】
【技術分野】
【０００１】
本発明は、ロール製品用コンテナに係り、さらに詳しくは、支管の長さが異なる２種類のロール製品を収容することができるロール製品用コンテナに関する。
【背景技術】
【０００２】
ロール製品を輸送するために適した組立式コンテナとして、例えば特許文献１に示すコンテナが知られている。このコンテナによれば、ロール製品は、横向きに置かれ、コンテナの内部に懸架されるように収納される。
またロール製品の出し入れが容易で、効率的にロール製品の保管及び輸送が可能なコンテナとして、パレット上の受け台の受け溝にロール製品の支軸を載置し、これを押え部材で押えて保持するようにしたコンテナも開示されている（例えば、特許文献２参照）。
【０００３】
ところで、このようなコンテナは、種々の分野における種々のロール体の保管や搬送に使用されるが、特定の分野あるいは特定の用途において使用されるロール体の規格、さらにはその中で特定の工場や会社等が扱うロール体の種類は限定されている場合が少なくない。またそのような場合であって、１種類の規格には特定できないが、２，３種類の規格のロール体を考慮すれば、主に扱っているロール体の大部分はその２，３種類の規格に含まれると言える場合も少なくない。具体的には、例えばディスプレイ用のカラーフィルターや転写フィルム等の分野において、特定の工場等で主に使用されているロール体の規格は２，３種類の場合が多い。
【０００４】
従って、そのようなロール体を収容し保管や搬送に供するコンテナにおいて、複数のロール体を同一のコンテナで取り扱うことができれば、利便性の向上が期待でき、そのようなコンテナが要望されていた。特に、支管の長さが若干異なる程度の複数種類のロール体を取り扱うことは種々の分野においてしばしば生じ、そのような場合に１種類のコンテナでそれら複数種類のロール体を収容したいという要望があった。
しかしながら、特許文献１及び特許文献２に開示されているコンテナを含めて従来のコンテナは、特定の寸法の特定のロール製品に対応したコンテナであり、ロール製品の種類が異なり例えば支管の長さ等の寸法が異なると、異なるコンテナを用意しなければならなかった。
【特許文献１】特開平１１−１３００６２号公報
【特許文献２】特開２００２−２０５７８９号公報
【発明の開示】
【発明が解決しようとする課題】
【０００５】
本発明の目的は、支管の長さが異なる２種類のロール製品を収容することができるロール製品用コンテナを提供することにある。
【課題を解決するための手段】
【０００６】
上記目的を達成するために、本発明に係るロール製品用コンテナは、パレットと、前記パレット上に相互に向き合って配置され、水平方向に位置するロール製品の両端部から各々突出している支管を各々支持する一対の支管受け部とを有するロール製品用コンテナであって、
前記一対の支管受け部の各々は、
第１の長さの第１支管の端部の軸方向移動を制限する第１支管ストッパー部材と、
回動自在に設けられた部材であって、前記第１支管ストッパー部材の近傍の所定の第１位置に回動された時に、前記第１の長さより短い第２の長さの第２支管の端部の位置の軸方向移動を制限する第２支管ストッパー部材とを有し、
前記第２支管ストッパー部材の回動位置に応じて、前記第１支管又は前記第２支管のいずれかを選択的に支持する。
【０００７】
好適には、前記第１支管を支持する際には、前記第２支管ストッパー部材は、前記第１支管が当該第２支管ストッパー部材の上部に載置されるように所定の第２の位置に回動され、前記第１支管は、前記第１支管ストッパー部材により端部の軸方向移動が制限される。
【０００８】
また好ましくは、本発明に係るロール製品用コンテナは、転写フィルムを含む任意のロール製品を輸送するために用いられる。
【０００９】
なお、本発明において、ロール製品としては、特に限定されず、例えば磁気テープ、液晶用フィルム、転写フィルム、金属箔、各種フィルムシート、織物などが支軸の回りに巻回してあるものなどが例示される。支軸は、中実棒材あるいは中空パイプでも良く、その材質は、特に限定されず、金属でもプラスチックなどでも良い。支軸が中空パイプである場合には、支軸の両端部は、キャップにより閉塞してあっても良い。
【発明の効果】
【００１０】
本発明によれば、支管の長さが異なる２種類のロール製品を収容することができるロール製品用コンテナを提供することができる。
【発明を実施するための最良の形態】
【００１１】
以下、本発明を、図面に示す実施形態に基づき説明する。
まず、本実施形態のロール製品用コンテナの全体構成について、図１を参照して説明する。
図１に示すように、本実施形態に係るロール製品用コンテナ１は、パレット１０を有する。パレット１０は、例えばステンレスなどの金属製棒材を組み合わせて構成してあり、フォークリフトの爪部が差し込まれる開口部１１を有する。なお、図示のごとくパレット１０の長手方向をＸ方向、パレット１０の短手方向をＹ方向として、以下の説明において参照する。
パレット１０の上面の四隅には、収容したロール製品の周囲を覆う側板２２、棲板２３及び上蓋２４を支持するための４本の支柱１２が設けられている。これらの支柱１２には、側板２２及び棲板２３を支持し固定するための溝あるいは段差等のガイドが設けられている。
【００１２】
パレット１０の短辺側周縁部、すなわちパレット１０の同一の短辺上に配置された２本の支柱１２の間には、支管受け部３０が設けられている。パレット１０の２つの短辺上に配置された２つの支管受け部３０は、パレット１０の長手方向Ｘにおいて相互に向き合うように配置されており、これら一対の支管受け部３０により、ロール製品２（図６（Ｂ）参照）の両端部から突出している支管３（図６（Ｂ）参照）が支持される。
支管受け部３０（図１に戻る）は、支管受け部３０の一部を構成する支持部材３１が両側の２本の支柱１２に連結されることにより支持されており、これによりパレット１０の同一の短辺上の２本の支柱１２の間の所定の位置に配置される。
なお、本発明に係る支管受け部３０については、後に詳述する。
【００１３】
支管受け部３０及びその両側の２本の支柱１２は、前述した支持部材３１及び必要に応じてさらに設けられる連結補強部材により一体的に構成される。そして、これら２本の支柱１２及び支管受け部３０は、そのまま一体的にパレット１の上面に傾倒可能なようにパレット１０に設置されている。従って、ロール製品用コンテナ１をロール製品を収容せず空の状態で回送する時には、パレット１０の両短辺部に配置された２本の支柱１２及び支管受け部３０の各々を、パレット１０の上面に倒した形態、すなわち折りたたんだ状態で搬送する。これにより、空のロール製品用コンテナ１の回送の際に、その高さを低くし容積を少なくして効率よく搬送することができる。
【００１４】
底板２１は、パレット１０にロール製品を収容する際、パレット１０の上面に載置する。また、２枚の側板２２及び２枚の棲板２３は、各々、ロール製品をパレット１０上に配置した後に、支柱１２の間のパレット１０の長辺上及び短辺上に配置する。側板２２及び棲板２３は、各支柱１２に設けられたガイドに沿って設置する。また、上蓋２４は、各支柱１２の間に設置した側板２２及び棲板２３に囲まれたコンテナの上部開口部に配置する。上蓋２４は、側板２２に設けられた上蓋掛止用の爪２５に周縁部を掛止させるとともに、上蓋２４の短辺側の側部に設けられている掛止用ゴムバンド２６を棲板２３の側面に設けられているゴムバンド受け金具２７に掛止することにより固定する。
【００１５】
また、パレット１０の４隅の外部には、コーナー脚１４が設けられている。このうち対角上に配置される所定の２箇所のコーナー脚１４には、ロール製品用コンテナ識別するための着色（識別色）１５が施されている。
【００１６】
次に、本発明に係る支管受け部３０について、図２〜図５を参照して説明する。
図２は、支管受け部３０を正面から（図１に示す方向Ａから）見た図であり、図３は支管受け部３０を側面（図２に示す方向Ｂから）見た図である。ともに、理解を容易にするために支管受け部３０にロール製品２の支管３（３ａ，３ｂ）が載置され、これを支持している状態を示している。
図２及び図３に示すように、ロール製品用コンテナ１の支管受け部３０は、ロール製品２の支管３を、支管３の長さに応じて２通りの形態で支持する。すなわち、支管受け部３０は、第１の長さの支管３ａと、第１の長さより若干短い第２の長さの支管３ｂの２種類の支管３を支持する。
【００１７】
図２に示すように、支管受け部３０は、支持部材３１の上に設けられた２本の柱状部材である支管ガイド３２、ロール製品２の支管３の軸方向の移動を制限する支管ストッパー３３、支管３をパレット１０方向に押える支管押え３４及び支管調整板４０を有する。
２本の支管ガイド３２は、その間にロール製品２の支管３が挿入可能なように、ロール製品２の支管３の直径にほぼ等しい間隔で平行に設置された柱状部材である。ロール製品用コンテナ１にロール製品２を収容する際には、支管３の両端部が２つの支管受け部３０の各々２本の支管ガイド３２の間に挿入され、それら支管ガイド３２により支管３の両端が支持部材３１方向に案内され、最終的に支持部材３１又は後述する支管調整板４０上に配置される。またこれにより、各支管受け部３０の２本の支管ガイド３２は、支管３のＹ方向の位置を規定する。
【００１８】
支管ストッパー３３は、支持部材３１に設置されるスチールの板状部材であって、ロール製品２の支管３のＸ方向（軸方向）の位置を規定する。支管ストッパー３３は、対向して配置される２つの支管受け部３０の各々長手方向（Ｘ方向）外側に、支管３の端面と平行な面内において支管３の端面と領域が重なるように配置される。これにより、支管３が軸方向にずれた場合には、いずれの方向にずれたとしても２つの支管受け部３０のいずれかの支管ストッパー３３に当接することになり、それ以上の支管３のずれを防止できる。
【００１９】
支管押え３４は、２本の支管ガイド３２に対して着脱可能に設けられる押え部材である。支管受け部３０にロール製品２の支管３を載置する時は、支管押え３４は取り外され２本の支管ガイド３２の上側が開放される。この開放部より２本の支管ガイド３２の間に支管３を挿入する。支管３を支管ガイド３２の間に挿入したら、支管押え３４を元のように支管ガイド３２の上部に設置する。
支管押え３４は、その長手方向両端部が２本の支管ガイド３２の上部に嵌挿されるような構造となっており（図４及び図５参照）、またその位置においてセミパチン錠３５により支管ガイド３２に固定されるようになっている（図２参照）。支管３の挿入あるいは離脱の後、支管押え３４を支管ガイド３２に設置したら、このセミパチン錠３５を施錠することにより支管押え３４を支管ガイド３２に固定し、２本の支管ガイド３２の上部開放を閉じる。これにより、２本の支管ガイド３２の間に支管３が挿入されている場合には、支管３が上側に抜けない状態となる。
【００２０】
また、支管押え３４の下面には、支管３を押えるための押え部材３６が設けられる。押え部材３６は、例えば柔軟性のある緩衝材、弾性部材あるいはバネ等により構成され、当接する支管３を下方向（パレット１０方向）に押圧する。なお、後述するように、収容するロール製品２の種類に応じて、支管押え３４と支管３との距離は異なる。しかし、いずれのロール製品２であっても、適切に支管３の上部が押させられるように、押え部材３６の作用範囲にはある程度の幅があることが望ましい。
【００２１】
支管調整板４０は、２本の支管ガイド３２の間の支持部材３１の上面に配置された板状部材であり、支持部材３１と同じくＹ方向に延伸した部材である。支管調整板４０は、その断面が、図３（Ａ）及び図３（Ｂ）に示すように、長手方向の長さＬと長手方向に垂直な幅方向の長さＷ（Ｗ＜Ｌ）が異なる長方形形状である板状の部材である。この板状部分の両端には、円柱状の突起４１が設けられており（図２参照）、この突起４１が２本の支管ガイド３２に回転可能に支持されている。これにより、支管調整板４０は、この両端の突起４１を結ぶ軸４２を回転軸として所定の範囲で回転可能に形成される。具体的には、支管調整板４０は、図３（Ａ）に示すように、幅方向が支持部材３１の上面と垂直な方向になり長手方向の表面が支持部材３１の上面に密着した第１の状態、及び、図３（Ｂ）に示すように幅方向が支管ストッパー３３と垂直な方向となり長手方向の表面が支管ストッパー３３に密着した第２の状態の２つの状態に任意に回転される。
なお、支管調整板４０には、支持部材３１及び支管ストッパー３３との間に隙間が生じず、且つ干渉せずに回転するように、軸４２に沿ってＲが形成されていてもよい。
【００２２】
支管調整板４０が、図３（Ａ）に示すような第１の状態とされた時、支管調整板４０は支管３（３ａ）が載置される載置面として作用する。この状態において、ロール製品２の支管３は、支持部材３１の上面に直接ではなく、図３（Ａ）に加えて図４にも示すように、支持部材３１の上面に密着している支管調整板４０の上に載置される。その結果、支管３の配置範囲（支管３の配置位置として規定する長さ）は、支管ストッパー（特許請求の範囲に言う第１支管ストッパー部材）３３の内寸に等しい長さとなる。
【００２３】
支管調整板４０が図３（Ｂ）に示すような第２の状態とされた時、支管調整板４０は支管ストッパー（特許請求の範囲に言う第２支管ストッパー部材）として作用する。この状態において、ロール製品２の支管３（３ｂ）は、図３（Ｂ）に加えて図５にも示すように、支持部材３１の上面に直接載置される。支管調整板４０は図示のごとく支管ストッパー３３に密着されて配置されており、支管調整板４０の表面が支管ストッパーとなっている。その結果、支管３の配置範囲（支管３の配置位置として規定する長さ）は、支管調整板４０の幅Ｗ分、両端の支管調整板４０を考慮すると全体で２×Ｗ分、支管ストッパー３３の内寸よりも短くなる。
【００２４】
ある分野において通常使用されるロール製品２としては、支管３（３ａ）の長さが１３５０ｍｍ（製品の長さが１２９０ｍｍ）の第１のロール製品２ａ、及び、支管３（３ｂ）の長さが１３２０ｍｍ（製品の長さが１２７０ｍｍ）の第２のロール製品２ｂが主流である。
このような２種類のロール製品２ａ，２ｂのいずれをも収容可能なロール製品用コンテナ１として、Ｘ方向に対向して配置された一対の支管受け部３０の支管ストッパー３３の内寸が１３５６ｍｍ、支管調整板４０の長手方向の長さＬ＝２５ｍｍ、幅方向の長さＷ＝１６ｍｍのロール製品用コンテナ１を考える。
【００２５】
第１のロール製品２ａを収容する場合は、図３（Ａ）及び図４に示すように、支管調整板４０を支持部材３１に密着するように移動させた第１の状態とし、支管調整板４０を支管３ａの載置面として使用する。この場合、実際の支管ストッパーの内寸は、支管ストッパー３３の内寸と変わらず１３５６ｍｍであり、第１のロール製品２ａの支管３ａの長さは１３５０ｍｍなので、この第１の状態において第１のロール製品２ａの支管３ａは、両側に３ｍｍずつの遊びを確保した状態で、適切に支管受け部３０間に載置される。
なお、支管調整板４０を第１の状態として第１のロール製品２ａを収容した場合、ロール製品用コンテナ１内でロール製品２ａの位置が約１６ｍｍ高くなる（図２の実線の位置となる）。このようなロール製品２の位置の変動に対しては、支管押え３４の押え部材３６がロール製品２の位置に応じて十分に収縮し、いずれの位置でも適切にロール製品２を押えられるような材料、構成としておけば対応可能である。
【００２６】
また、第２のロール製品２ｂを収容する場合は、図３（Ｂ）及び図５に示すように、支管調整板４０を支管ストッパー３３に密着するように移動させた第２の状態とし、支管調整板４０を支管ストッパーとして使用する。この場合、支管調整板４０を介在させたことにより実際の支管ストッパーの内寸（対向する支管受け部３０の支管調整板４０間の内寸）は、１３２４ｍｍ（＝１３５６−（１６×２））となる。第２のロール製品２ｂの支管３ｂの長さは１３２０ｍｍなので、この第２の状態において第２のロール製品２ｂの支管３ｂは、両側に２ｍｍずつの遊びを確保した状態で、適切に支管受け部３０間に載置される。
【００２７】
最後に、このような構成のロール製品用コンテナ１にロール製品を収容する方法について図６及び図７を参照してまとめて説明する。
ロール製品用コンテナ１にロール製品を収容する際には、まず、図６（Ａ）に示すように、パレット１０の上面に底板２１を載置する。
次に、支管受け部３０の支管押え３４を取り外し、図６（Ｂ）に示すように、２本の支管ガイド３２の上側を開放し、この開放部より支管ガイド３２の間に支管３が挿入されるように、ロール製品２をロール製品用コンテナ１に載置する。この際、収容するロール製品２の支管３の種類に応じて、支管受け部３０の支管調整板４０を回転させて支管ストッパーの長さを選択しておく。
【００２８】
ロール製品２の支管３を支管ガイド３２の間に挿入したら、図７（Ａ）に示すように、支管押え３４を元のように支管ガイド３２の上側に装着して支管３を固定する。
そして、２枚の側板２２及び２枚の棲板２３を各々、パレット１０の長辺上に配置された２本の支柱１２の間、及び、パレット１０の短辺上に配置された２本の支柱１２の間に、各々、各支柱１２に設けられたガイドに沿って設置する。また、これら側板２２及び棲板２３に囲まれたコンテナの上部開口部に上蓋２４を配置し、上蓋２４の爪２５及び掛止用ゴムバンド２６等により上蓋２４を固定する。
これにより、図７（Ｂ）に示すように、ロール製品２がロール製品用コンテナ１に収容される。
【００２９】
このように、本実施形態のロール製品用コンテナ１においては、支管受け部３０に支管調整板４０を設けたことにより、長さの異なる２種類のロール製品を収容可能である。
また、種類の異なるロール製品を収容する際の操作は、単に支管調整板４０を回転させるだけなので、非常に簡単に収容対象のロール製品の切り換えを行うことができる。
【００３０】
なお、本発明は、上述した実施形態に限定されるものではなく、本発明の範囲内で種々に改変することができる。
【図面の簡単な説明】
【００３１】
【図１】図１は、本発明の一実施形態に係るロール製品用コンテナの構成を説明するための図である。
【図２】図２は、図１に示したロール製品用コンテナの支管受け部の構成を示す図である。
【図３】図３は、図２に示した支管受け部の支管調整板の機能を説明するための図である。
【図４】図４は、図２に示した支管受け部が、長さの長い支管を支持している状態を示す図である。
【図５】図５は、図２に示した支管受け部が、長さの短い支管を支持している状態を示す図である。
【図６】図６は、図１に示したロール製品用コンテナにロール製品を収容する手順を示す第１の図である。
【図７】図７は、図１に示したロール製品用コンテナにロール製品を収容する手順を示す第２の図である。
【符号の説明】
【００３２】
１…ロール製品用コンテナ
１０…ロール製品用コンテナ
１１…開口部
１２…支柱
１４…コーナー脚
１５…着色部
２１…底板
２２…側板
２３…棲板
２４…上蓋
２５…爪
２６…掛止用ゴムバンド
２７…ゴムバンド受け金具
３０…支管受け部
３１…支持部材
３２…支管ガイド
３３…支管ストッパー
３４…支管押え
３５…セミパチン錠
３６…押え部材
４０…支管調整板
４１…突起
４２…軸
【図１】
2006273415.tif 000003
【図２】
2006273415.tif 000004
【図３】
2006273415.tif 000005
【図４】
2006273415.tif 000006
【図５】
2006273415.tif 000007
【図６】
2006273415.tif 000008
【図７】
2006273415.tif 000009